(57)【特許請求の範囲】
【請求項１】
回転している磁気ディスク表面にバニッシュテープを押し当てて磁気ディスク表面をバニッシュ処理する磁気ディスクバニッシュ装置において、
装着部に装着された磁気ディスクを回転させる回転手段と、
バニッシュテープを前記磁気ディスクの表面上で走行させるテープ走行手段と、
バニッシュテープを所定の押圧力で磁気ディスク表面に押圧する押圧手段と、
バニッシュテープの走行方向に対して直交する方向に前記バニッシュテープを移動させて前記磁気ディスクの全面をバニッシュ処理するテープ移動手段とを具備し、
前記テープ移動手段による、バニッシュテープの磁気ディスク表面上への進入及び磁気ディスク表面上からの離脱を行う磁気ディスクの外周縁近傍に設けられ、磁気ディスク表面と同一平面となる表面を有するランプロード機構を設け、
前記バニッシュテープを保持するために、回転可能な複数のローラを有するアーム部が設けられ、
バニッシュテープは、アーム部の先端部に設けられたローラで折り返されて走行するように設けられ、
前記アーム部の、磁気ディスクの中心に配置されている装着部に対応する箇所には、アーム部が装着部に当接することを防止すべく、ローラが設けられていない幅狭の逃げ部が設けられていることを特徴とする磁気ディスクバニッシュ装置。
【請求項２】
前記バニッシュテープは、磁気ディスクの両面に配置され、
磁気ディスクの両面が同時にバニッシュ処理されることを特徴とする請求項１記載の磁気ディスクバニッシュ装置。
【発明の詳細な説明】
【技術分野】
【０００１】
本発明は、回転している磁気ディスク表面にバニッシュテープを押し当てて磁気ディスク表面をバニッシュ処理する磁気ディスクバニッシュ装置に関する。
【背景技術】
【０００２】
製造段階にある磁気ディスクの表面には、微少な突起や付着物などが存在している場合もある。このような突起や付着物をそのままにしておくと、磁気ディスクをハードディスク装置に組み込んだ後にヘッドクラッシュの原因ともなる。
【０００３】
そこで、磁気ディスクをハードディスク装置に組み込む前に、磁気ディスクの表面の微少な突起や付着物を除去する磁気ディスクバニッシュ装置が従来より用いられている。
磁気ディスクバニッシュ装置は、表面が特定の粗さとなっているバニッシュテープと呼ばれるポリエステル等の合成樹脂製のテープや布製のテープを高速回転する磁気ディスクに押し当て、突起や付着物を除去するようにしているものである。
【０００４】
図９および図１０に従来の磁気ディスクバニッシュ装置の概略構成を示す。
バニッシュテープ５は、先端部がスポンジ等の弾性体によって構成されているローラ９に掛け渡されており、ローラ９で折り返して走行するように、図示しない走行手段によって駆動している（例えば、特許文献１参照）。
【０００５】
なお、図１０では、わかりやすくするためにバニッシュテープ５と磁気ディスク１の表面とは若干離間した状態で図示しているが、実際にはバニッシュテープ５はローラ９を介して押圧力が付与されており、磁気ディスク１の表面にバニッシュテープ５が押し当てられてバニッシュ処理が行われる。
【０００６】
磁気ディスク１は図示しないスピンドルモータによって回転している。
そして、ローラ９で折り返して走行しているバニッシュテープ５は、全体が磁気ディスク１の半径方向に往復動することにより、磁気ディスク１の表面全体をバニッシュ処理している。
【０００７】
【特許文献１】実開昭５９−１０７７２２号公報（図１等）
【発明の開示】
【発明が解決しようとする課題】
【０００８】
上述した特許文献１に開示された従来の磁気ディスクバニッシュ装置においては、図１０に示すように、磁気ディスク装置の外縁部からバニッシュテープを離脱させる際に、押圧力およびバニッシュテープ自身の走行によって弾性体が変形してしまう。このように、バニッシュテープの離脱の際における弾性体の変形によって、磁気ディスクのバニッシュ処理の状態がディスク内周側とディスク外周側とでは異なってしまい、磁気ディスク全面にわたる均一な処理ができないという課題がある。
【０００９】
そこで、本発明は上記課題を解決すべくなされ、その目的とするところは、磁気ディスク全面にわたって均一なバニッシュ処理が行える磁気ディスクバニッシュ装置を提供することにある。
【課題を解決するための手段】
【００１０】
本発明に係る磁気ディスクバニッシュ装置によれば、上記課題を解決するために以下の構成を備える。
すなわち、本発明に係る磁気ディスクバニッシュ装置によれば、回転している磁気ディスク表面にバニッシュテープを押し当てて磁気ディスク表面をバニッシュ処理する磁気ディスクバニッシュ装置において、装着部に装着された磁気ディスクを回転させる回転手段と、バニッシュテープを前記磁気ディスクの表面上で走行させるテープ走行手段と、バニッシュテープを所定の押圧力で磁気ディスク表面に押圧する押圧手段と、バニッシュテープの走行方向に対して直交する方向に前記バニッシュテープを移動させて前記磁気ディスクの全面をバニッシュ処理するテープ移動手段とを具備し、前記テープ移動手段による、バニッシュテープの磁気ディスク表面上への進入及び磁気ディスク表面上からの離脱を行う磁気ディスクの外周縁近傍に設けられ、磁気ディスク表面と同一平面となる表面を有するランプロード機構を設け、前記バニッシュテープを保持するために、回転可能な複数のローラを有するアーム部が設けられ、バニッシュテープは、アーム部の先端部に設けられたローラで折り返されて走行するように設けられ、前記アーム部の、磁気ディスクの中心に配置されている装着部に対応する箇所には、アーム部が装着部に当接することを防止すべく、ローラが設けられていない幅狭の逃げ部が設けられていることを特徴としている。
この構成を採用することによって、バニッシュテープの磁気ディスクの外周縁からの離脱がスムーズに行えるため、磁気ディスク全面にわたって均一なバニッシュ処理が行える。すなわち、従来の磁気ディスクバニッシュ装置では、バニッシュテープの走行方向とバニッシュテープの移動方向が同一方向となっているので、バニッシュテープの磁気ディスクからの離脱時に弾性体に大きな荷重がかかって弾性体が変形していたが、バニッシュテープの走行方向に対して磁気ディスクからの離脱方向（移動方向）を直交する方向としたことで、特に離脱時における弾性体にかかる荷重が軽減され、磁気ディスクからの離脱がスムーズに行える。
また、この構成によれば、バニッシュテープを磁気ディスクの外周縁から磁気ディスク表面に移動させる際、又はバニッシュテープを磁気ディスクの外周縁から磁気ディスク外へ移動させる際に、押圧手段が所定の押圧力でバニッシュテープを磁気ディスク方向に押圧していても、外周縁の端部への進入時には磁気ディスク表面への衝撃による傷つきを防止でき、外周縁の端部からの離脱時には塵芥を磁気ディスク表面上に残さないようにすることができる。このため、高品質な磁気ディスクに仕上げることができる。
さらに、アーム部に逃げ部が形成されていることで、磁気ディスクの中心に存する装着部の近傍までバニッシュテープを移動させることができ、磁気ディスク全面のバニッシュ処理を確実に実行できる。
【００１２】
さらに、前記バニッシュテープは、磁気ディスクの両面に配置され、磁気ディスクの両面が同時にバニッシュ処理されることを特徴としてもよい。
【発明の効果】
【００１４】
本発明に係る磁気ディスクバニッシュ装置によれば、磁気ディスク全面にわたって均一なバニッシュ処理が行える。
【発明を実施するための最良の形態】
【００１５】
以下、本発明に係る磁気ディスクバニッシュ装置を実施するための最良の形態を説明する。
【００１６】
（第１の実施形態）
まず、図１に本実施の形態に係る磁気ディスクバニッシュ装置の正面図を示し、図２に磁気ディスク部分の概略構成の平面図を示し、図３に磁気ディスク部分の概略構成の側面図を示す。
磁気ディスクバニッシュ装置２０は、バニッシュ処理対象の磁気ディスク３０の両面をバニッシュテープ２４でバニッシュ処理する装置である。磁気ディスクバニッシュ装置２０は、磁気ディスク３０を装着する装着部２１を有するスピンドルモータ２２（特許請求の範囲でいう回転手段に該当する）と、バニッシュテープ２４が巻き取られている送りリール２６と、バニッシュ処理した後のバニッシュテープ２４を巻き取る巻き取りリール２８とが設けられている。
ここでは、巻き取りリール２８に巻き取りリール２８を回転駆動させるモータ（図示せず）が設けられており、巻き取りリール２８とモータが特許請求の範囲でいうテープ走行手段に該当する。
【００１７】
この磁気ディスクバニッシュ装置２０は、磁気ディスク３０の両面をバニッシュ処理するものであり、バニッシュテープ２４は磁気ディスク３０の表面用と裏面用の２組設けられている。
バニッシュテープ２４としては、所定の粗さを有するポリエステルテープ、アクリルテープ、布製のテープなどを採用することができるが、バニッシュテープの材質は特に何れかに限定されない。
【００１８】
本実施形態では、装着部２１に水平に配置された磁気ディスク３０を挟んで両側に送りリール２６と巻き取りリール２８が配置されている。このため、各バニッシュテープ２４は、磁気ディスク３０の表面を横切って張り渡されている。
また、磁気ディスク３０は、水平面内で回転するように、スピンドルモータ２２の装着部２１に装着される。このため、バニッシュテープ２４の平面部分も水平方向を向くように設けられる。したがって、バニッシュテープ２４の送りリール２６と巻き取りリール２８の回転軸は水平方向を向き、各リール２６，２８は鉛直面内で回転するように設けられている。
【００１９】
なお、バニッシュテープ２４のテンションの調整をするために、送りリール２６と巻き取りリール２８との間には、複数のローラ３４、３６が配置されており、これらのローラ３４，３６間でバニッシュテープ２４が掛け渡されている。
【００２０】
バニッシュテープ２４の磁気ディスク３０に当接する部位には、押圧アーム３２（特許請求の範囲でいう押圧手段に該当する）が配置されている。
押圧アーム３２は、磁気ディスク３０から見てバニッシュテープ２４を挟んで対向する側に配置されており、所定の押圧力でバニッシュテープ２４を磁気ディスク３０の表面に当接させる。なお、本実施形態では、所定の押圧力としては、３０ｇ程度の弱い力を想定している。
押圧アーム３２の先端部で、バニッシュテープ２４に当接する部位には、弾性力を有する弾性体２３が設けられている。弾性体２３の例としては、スポンジなどが挙げられる。
【００２１】
また、２組の送りリール２６と巻き取りリール２８、各ローラ３４，３６および押圧アームは、１つのユニット本体３１に設けられ、ユニット本体３１全体がバニッシュテープ２４の走行方向に対して直交する方向に移動可能に設けられている。ユニット本体３１を移動させるのは、ユニット本体３１の下部に設けられたリニアアクチュエータなどの直動装置２９である。この直動装置２９が、特許請求の範囲でいうテープ移動手段に該当する。なお、直動装置２９としては、リニアアクチュエータに限られることなく、エアシリンダーや油圧シリンダー等を採用しても良い。
このような構成により、押圧アーム３２は、磁気ディスク３０の内周側と外周側にわたってバニッシュテープ２４を往復動するため、磁気ディスク３０の全面が確実にバニッシュ処理される。
【００２２】
また、バニッシュテープ２４が磁気ディスク３０に対して進入および離脱する箇所においては、磁気ディスク３０の表面とほぼ同一平面となる表面を有するランプロード機構３８が設けられている。
本実施形態においては、磁気ディスク３０に対して表裏両面にバニッシュテープ２４が配置されているので、ランプロード機構３８は、磁気ディスク３０の厚さとほぼ同じ厚さを有する板状体である。
【００２３】
図３に、バニッシュテープの移動の様子について示す。
この図３に示すように、ランプロード機構３８を設けることにより、バニッシュテープ２４を磁気ディスク３０に進入させるとき、磁気ディスク３０に衝撃を与えずにスムーズに進入可能となり、磁気ディスク３０へ傷をつけないようにすることができる。
また、バニッシュテープ２４を磁気ディスク３０から離脱させる際にもバニッシュ処理で生じた塵芥をそのままランプロード機構３８の表面上に掻き出すことができるので、塵芥を磁気ディスク３０の表面に残さないようにすることができる。
【００２４】
（第２の実施形態）
次に、磁気ディスクバニッシュ装置の他の実施形態を示す。なお、上述した実施形態と同一の構成要素については同一の符号を付し、説明を省略する場合もある。
図４に磁気ディスクバニッシュ装置の全体構成の正面図を示し、図５に磁気ディスクバニッシュ装置の平面図を示し、図６に磁気ディスクを回転させるスピンドル部を示す。
本実施形態の磁気ディスクバニッシュ装置４０は、バニッシュテープ２４が磁気ディスク３０を横切って配置されておらず、バニッシュテープ２４は、アーム部４２に保持されており、アーム部４２に掛け渡されて走行するように設けられている点で、上述した実施形態とは異なっている。
【００２５】
磁気ディスクバニッシュ装置４０は、バニッシュ処理対象の磁気ディスク３０の両面をバニッシュテープ２４でバニッシュ処理する装置であり、磁気ディスク３０を装着する装着部２１を有するスピンドルモータ２２と、バニッシュテープ２４が巻き取られている送りリール２６と、バニッシュ処理した後のバニッシュテープ２４を巻き取る巻き取りリール２８とが設けられている。
巻き取りリール２８には、巻き取りリール２８を回転駆動するためのモータ４３が接続されている。巻き取りリール２８がモータ４３によって回転してバニッシュテープ２４を巻き取ることにより、バニッシュテープ２４が走行する。
【００２６】
送りリール２６，巻き取りリール２８およびバニッシュテープ２４を掛け渡しているアーム部４２は、バニッシュテープ２４の引き出し方向と直交する方向に移動可能なユニット本体４１に設けられている。
ユニット本体４１の下部には、ボールネジやリニアアクチュエータ等の直動装置４６が設けられており、この直動装置４６が駆動することで、ユニット本体４１全体がバニッシュテープ２４の走行方向と直交する方向に移動する。
【００２７】
アーム部４２のユニット本体４１側の端部には、アーム部４２を磁気ディスク３０方向に押圧する押圧部４８が設けられている。押圧部４８は、押圧機構４９によってアーム部４２を押圧している。
【００２８】
この磁気ディスクバニッシュ装置４０も、磁気ディスク３０の両面をバニッシュ処理するものであり、バニッシュテープ２４は磁気ディスク３０の表面用と裏面用の２組設けられている。
【００２９】
本実施形態では、磁気ディスク３０は、水平面内で回転するように、スピンドルモータ２２の装着部２１に装着される。このため、バニッシュテープ２４の平面部分も水平方向を向くように設けられる。したがって、バニッシュテープ２４の送りリール２６と巻き取りリール２８の回転軸は水平方向を向き、各リール２６，２８は鉛直面内で回転するように設けられている。
【００３０】
また、磁気ディスク３０を装着する装着部２１と、装着部２１に装着された磁気ディスク３０を回転させるスピンドルモータ２２は、アーム部４２の中立位置の両側２箇所に配置されている。
本実施形態では、磁気ディスク３０の表裏両面に配置される１組のアーム部４２に対し、直動装置４６の移動方向に沿った両側にスピンドルモータ２２と装着部２１とが配置されている。
【００３１】
２箇所に配置された磁気ディスク３０のバニッシュ処理は、交互に行われる。すなわち、一方の磁気ディスク３０をバニッシュ処理中においては、他方の磁気ディスク３０には、装着部２１からのバニッシュ処理済みの磁気ディスクの取り外しと、未バニッシュ処理の磁気ディスク３０を装着部２１へ装着する動作が行われている。
そして、一方の磁気ディスク３０のバニッシュ処理が終了した後、アーム部４２（ユニット本体４１）は他方の装着部２１に装着された磁気ディスク３０方向へ移動し、他方の磁気ディスク３０のバニッシュ処理を行う。
【００３２】
装着部２１への磁気ディスク３０の装着及び装着部２１からの磁気ディスク３０の取り外しは、磁気ディスク３０を把持する磁気ディスク給排ハンド５１によって実行することができる。
【００３３】
各装着部２１の間には、それぞれに装着される磁気ディスク３０に対応するランプロード機構５０が設けられている。ランプロード機構５０は、アーム部４２（バニッシュテープ２４）が磁気ディスク３０へ進入及び離脱する箇所に設けられている。
ランプロード機構５０としては、上述した実施形態と同様に、磁気ディスク３０の厚さとほぼ同じ厚さの板状体を採用すればよい。
【００３４】
次に、図７〜図８に基づいてアーム部の構成について説明する。
アーム部４２は、バニッシュテープ２４が先端部で折り返されて掛け渡され、上面及び下面で走行するように走行方向に対して直交する方向に回転軸が延びる複数のローラ５５，５７，５８，５９が設けられている。各ローラ５７，５８，５９は、金属製のフレーム６１に穿設された透孔６２内に配置されている。
【００３５】
アーム部４２の先端部に設けられているローラ５５は、バニッシュテープ２４を折り返すためのものである。
また、バニッシュテープ２４は、各ローラ５７，５８，５９間を上下方向に掛け渡されており、所定のテンションを保持できるように設けられている。
【００３６】
アーム部４２の磁気ディスク３０に対向する面には、バニッシュテープ２４を磁気ディスク３０へ押しつけるため、バニッシュテープ２４の磁気ディスク３０に対向する面と反対側の面に当接する弾性体５６が設けられている。
弾性体５６が設けられている部位が、磁気ディスク３０に対して実際にバニッシュ処理が行われるバニッシュ処理部６４である。
【００３７】
また、アーム部４２の、弾性体５６が設けられているバニッシュ処理部６４には、磁気ディスク３０を装着している装着部２１を逃げるための、逃げ部６０がフレームに形成されている。
逃げ部６０が形成されていることにより、バニッシュ処理部６４に存するバニッシュテープ２４を装着部２１の近傍まで接近させることができ、磁気ディスク３０の最内周も確実にバニッシュ処理することができる。
【００３８】
なお、第２の実施形態においては、１組のアーム部４２に対して２箇所に磁気ディスク３０を回転させるスピンドルモータ２２を配置したが、本実施形態ではこのような構成に限定するものではなく、１組のアーム部４２に対して磁気ディスク３０を回転させるスピンドルモータ２２を１箇所に設ける構造であってもよい。
【図面の簡単な説明】
【００３９】
【図１】磁気ディスクバニッシュ装置の第１の実施形態の正面図である。
【図２】図１に示した磁気ディスクバニッシュ装置の磁気ディスク部分の概略構成を説明する平面図である。
【図３】図２に示した磁気ディスク部分の概略構成を説明する側面図である。
【図４】磁気ディスクバニッシュ装置の第２の実施形態の正面図である。
【図５】図４に示した磁気ディスクバニッシュ装置の平面図である。
【図６】図４に示した磁気ディスクバニッシュ装置の磁気ディスク部分を示す平面図である。
【図７】図４に示した磁気ディスクバニッシュ装置のアーム部の平面図である。
【図８】図７に示したアーム部の側面図である。
【図９】従来の磁気ディスクバニッシュ装置の概略構成を示す平面図である。
【図１０】従来の磁気ディスクバニッシュ装置の概略構成を示す側面図である。
【符号の説明】
【００４０】
２０，４０  磁気ディスクバニッシュ装置
２１  装着部
２２  スピンドルモータ
２３  弾性体
２４  バニッシュテープ
２６  送りリール
２８  巻き取りリール
２９  直動装置
３０  磁気ディスク
３１  ユニット本体
３２  押圧アーム
３４，３６  ローラ
３８  ランプロード機構
４１  ユニット本体
４２  アーム部
４３  モータ
４６  直動装置
４８  押圧部
４９  押圧機構
５０  ランプロード機構
５１  磁気ディスク給排ハンド
５５，５７，５８，５９  ローラ
５６  弾性体
６０  逃げ部
６１  フレーム
６２  透孔
６４  バニッシュ処理部
【図１】
0004528842.tif 000002
【図２】
0004528842.tif 000003
【図３】
0004528842.tif 000004
【図４】
0004528842.tif 000005
【図５】
0004528842.tif 000006
【図６】
0004528842.tif 000007
【図７】
0004528842.tif 000008
【図８】
0004528842.tif 000009
【図９】
0004528842.tif 000010
【図１０】
0004528842.tif 000011